(57)【要約】【課題】干渉色を利用することにより、高価な設備及び材料が不要であり、電源が不要であり、色を自由に調整可能で安価な表示用媒体及び表示用媒体の製造方法を提供する。【解決手段】表示用媒体は、各々が部分的な切り抜き部を有する少なくとも１枚の複屈折シートと、少なくとも１枚の複屈折シートを間に挟んで互いに積層された２枚のクロスニコル配置若しくはパラニコル配置された偏光シート又は１枚の偏光シート及び１枚の鏡面シートとを備えている。【選択図】図１
2013037344.tif 000002
【特許請求の範囲】
【請求項１】
各々が部分的な切り抜き部を有する少なくとも１枚の複屈折シートと、該少なくとも１枚の複屈折シートを間に挟んで互いに積層された２枚のクロスニコル配置若しくはパラニコル配置された偏光シート又は１枚の偏光シート及び１枚の鏡面シートとを備えていることを特徴とする表示用媒体。
【請求項２】
前記少なくとも１枚の複屈折シートが、遅相軸が直交するように互いに積層された複数枚の複屈折シートを備えていることを特徴とする請求項１に記載の表示用媒体。
【請求項３】
前記少なくとも１枚の複屈折シートが、互いに異なる形状を有する及び／又は互いに変位させて設けられた切り抜き部を有する複数枚の複屈折シートを備えていることを特徴とする請求項１又は２に記載の表示用媒体。
【請求項４】
前記少なくとも１枚の複屈折シートが、互いに異なる位相差を有する複数枚の複屈折シートを備えていることを特徴とする請求項１から３のいずれか１項に記載の表示用媒体。
【請求項５】
前記少なくとも１枚の複屈折シート及び前記偏光シートが、互いに同一寸法及び同一形状の外形を有していることを特徴とする請求項１から４のいずれか１項に記載の表示用媒体。
【請求項６】
前記少なくとも１枚の複屈折シートが、少なくとも１枚のポリプロピレンフィルムを備えていることを特徴とする請求項１から５のいずれか１項に記載の表示用媒体。
【請求項７】
前記少なくとも１枚の複屈折シートが、少なくとも１枚のポリエチレンテレフタレートフィルムを備えていることを特徴とする請求項１から５のいずれか１項に記載の表示用媒体。
【請求項８】
少なくとも１枚の大寸法複屈折シートに切り抜き処理を行うことにより複数の切り抜き部をそれぞれ有する少なくとも１枚の大寸法複屈折シートを形成し、該複数の切り抜き部を有する少なくとも１枚の大寸法複屈折シートを間に挟んで、２枚のクロスニコル配置若しくはパラニコル配置した大寸法偏光シート又は１枚の大寸法偏光シート及び１枚の大寸法鏡面シートを互いに積層固着して大寸法積層シートを形成し、該形成した大寸法積層シートを切断分離して個々の表示用媒体を得ることを特徴とする表示用媒体の製造方法。
【請求項９】
切り抜き処理を行うことにより少なくとも１枚の複屈折シートに該少なくとも１枚の複屈折シートを分離しない部分的な切り抜き部を形成し、該部分的な切り抜き部を有する少なくとも１枚の複屈折シートを間に挟んで、該少なくとも１枚の複屈折シートと２枚のクロスニコル配置若しくはパラニコル配置した偏光シート又は１枚の偏光シート及び１枚の鏡面シートとを互いに積層固着することを特徴とする表示用媒体の製造方法。
【請求項１０】
前記少なくとも１枚の大寸法複屈折シート又は複屈折シートとして、遅相軸が直交するように互いに積層された複数枚の大寸法複屈折シート又は複屈折シートを用いることを特徴とする請求項８又は９に記載の表示用媒体の製造方法。
【請求項１１】
前記少なくとも１枚の大寸法複屈折シート又は複屈折シートとして、互いに異なる形状を有する及び／又は互いに変位させて設けられた切り抜き部をそれぞれ有する複数枚の大寸法複屈折シート又は複屈折シートを用いることを特徴とする請求項８から１０のいずれか１項に記載の表示用媒体の製造方法。
【請求項１２】
前記少なくとも１枚の大寸法複屈折シート又は複屈折シートとして、互いに異なる位相差を有する複数枚の大寸法複屈折シート又は複屈折シートを用いることを特徴とする請求項８から１１のいずれか１項に記載の表示用媒体の製造方法。
【請求項１３】
前記少なくとも１枚の大寸法複屈折シート又は複屈折シート及び前記大寸法偏光シート又は偏光シートとして、互いに同一寸法及び同一形状の外形を有するシートを用いることを特徴とする請求項８から１２のいずれか１項に記載の表示用媒体の製造方法。
【請求項１４】
前記少なくとも１枚の大寸法複屈折シート又は複屈折シートとして、少なくとも１枚のポリプロピレンフィルムを用いることを特徴とする請求項８から１３のいずれか１項に記載の表示用媒体の製造方法。
【請求項１５】
前記少なくとも１枚の大寸法複屈折シート又は複屈折シートとして、少なくとも１枚のポリエチレンテレフタレートフィルムを用いることを特徴とする請求項８から１３のいずれか１項に記載の表示用媒体の製造方法。
【発明の詳細な説明】
【技術分野】
【０００１】
本発明は、広告媒体や配布媒体等の表示用媒体及びこの表示用媒体の製造方法に関する。
【背景技術】
【０００２】
偏光によって生じる干渉色を鉱物の鑑定やリタデーション量の測定等に利用することは広く行われている。しかしながら、この干渉色を広告媒体や配布媒体等の表示用媒体に利用することは、全く行われていなかった。広告媒体としては、ポスター等の紙媒体が一般的に使用されており、最近では、ＬＥＤ照明ディスプレイや大型液晶ディスプレイ等の使用が注目を浴びている。また、配布媒体としては、最近は、紙媒体にホログラムやレンチキュラーを付加したものが注目され、使用されている。
【０００３】
干渉色をこのような表示用媒体ではなく、壁材、床材、天井材、窓材や外装材に利用した技術として、特許文献１には、偏光子と偏光子との間、又は鏡と偏光子との間に、例えばポリエチレンテレフタレート製フィルム等の光学的に均質でない高分子フィルムを切り貼りした玉虫色複合体が開示されている。
【先行技術文献】
【特許文献】
【０００４】
【特許文献１】特開平０８−１５２５１６号公報
【発明の概要】
【発明が解決しようとする課題】
【０００５】
ＬＥＤ照明ディスプレイや大型液晶ディスプレイは、広告媒体として非常に有用であるが、高価な設備及び材料が必要であり、電源を必要とする。また、ホログラムやレンチキュラーを紙媒体に付加した配布媒体は、色を自由に調整できない、製造コストが非常に高い等の問題点を有していた。
【０００６】
一方、特許文献１に記載された干渉色利用の技術は、偏光子の間に挟む光学的に均質でない高分子フィルムを切り貼りする必要があることから、かなりの手間と時間とを要するため、量産化には全く不向きであった。
【０００７】
従って本発明の目的は、干渉色を利用することにより、高価な設備及び材料が不要であり、しかも安価な表示用媒体及び表示用媒体の製造方法を提供することにある。
【０００８】
本発明の他の目的は、干渉色を利用することにより、電源が不要であり、色を自由に調整可能な表示用媒体及び表示用媒体の製造方法を提供することにある。
【課題を解決するための手段】
【０００９】
本発明によれば、各々が部分的な切り抜き部を有する少なくとも１枚の複屈折シートと、少なくとも１枚の複屈折シートを間に挟んで互いに積層された２枚のクロスニコル配置若しくはパラニコル配置された偏光シート又は１枚の偏光シート及び１枚の鏡面シートとを備えている表示用媒体が提供される。
【００１０】
少なくとも１枚の複屈折シートは部分的な切り抜き部を有しており、これが２枚のクロスニコル配置（直交配置）若しくはパラニコル配置（平行配置）された偏光シートに挟まれて積層されているか、又は１枚の偏光シート及び１枚の鏡面シートに挟まれて積層されている。このように本発明によれば、複屈折シートが部分的な切り抜き部を有しているため、単に複屈折シートと偏光シートとの積層固着のみで構成でき、切り貼り等が不要となって手間がかからないため、量産化が可能となる。また、複屈折シートの存在する部分を透過する光のみが複屈折して位相差を発生させるので、干渉色が生じ、色を自由に調整でき、しかも見る角度のよって色が美しく変化する付加価値の高い広告媒体や配布媒体等の表示用媒体となり得る。また、透明型のしかも薄い表示用媒体を提供することができる。薄いことによって、配布媒体として有用となる。ＬＥＤ照明ディスプレイや大型液晶ディスプレイではないため、高価な設備及び材料が不要であり、安価な表示用媒体を提供することができる。もちろん、電源も不要である。さらに、後述するように、情報を隠す又は暗号化する等のセキュリティー用途にも適用可能である。
【００１１】
少なくとも１枚の複屈折シートが、遅相軸が直交するように互いに積層された複数枚の複屈折シートを備えていることが好ましい。
【００１２】
少なくとも１枚の複屈折シートが、互いに異なる形状を有する及び／又は互いに変位させて設けられた切り抜き部を有する複数枚の複屈折シートを備えていることも好ましい。
【００１３】
少なくとも１枚の複屈折シートが、互いに異なる位相差を有する複数枚の複屈折シートを備えていることも好ましい。
【００１４】
少なくとも１枚の複屈折シート及び偏光シートが、互いに同一寸法及び同一形状の外形を有していることも好ましい。
【００１５】
少なくとも１枚の複屈折シートが、少なくとも１枚のポリプロピレンフィルムを備えていることも好ましい。
【００１６】
少なくとも１枚の複屈折シートが、少なくとも１枚のポリエチレンテレフタレートフィルムを備えていることも好ましい。
【００１７】
本発明によれば、さらに、少なくとも１枚の大寸法複屈折シートに切り抜き処理を行うことにより複数の切り抜き部をそれぞれ有する少なくとも１枚の大寸法複屈折シートを形成し、複数の切り抜き部を有する少なくとも１枚の大寸法複屈折シートを間に挟んで、２枚のクロスニコル配置若しくはパラニコル配置した大寸法偏光シート又は１枚の大寸法偏光シート及び１枚の大寸法鏡面シートを互いに積層固着して大寸法積層シートを形成し、形成した大寸法積層シートを切断分離して個々の表示用媒体を得る表示用媒体の製造方法が提供される。
【００１８】
切り抜きによって少なくとも１枚の大寸法複屈折シートに複数の切り抜き部が形成され、これを挟んで２枚のクロスニコル配置若しくはパラニコル配置された大寸法偏光シートが積層されるか、又は１枚の大寸法偏光シート及び１枚の大寸法鏡面シートが互いに積層固着されて大寸法積層シートが形成され、この大寸法積層シートが切断分離されて個々の表示用媒体が得られる。このように本発明によれば、大寸法複屈折シートに複数の切り抜き部が形成され、これが２枚の大寸法偏光シート又は１枚の大寸法偏光シート及び１枚の大寸法鏡面シートに挟まれて大寸法積層シートが形成され、この大寸法積層シートが切断分離されて個々の表示用媒体が製造されるため、切り貼り等が不要となって手間がかからず量産化が可能となる。もちろん、このように製造した表示用媒体によれば、複屈折シートの存在する部分を透過する光のみが複屈折して位相差を発生させるため、干渉色が生じ、色を自由に調整でき、しかも見る角度のよって色が美しく変化する付加価値の高い広告媒体や配布媒体等となり得る。また、透明型のしかも薄い表示用媒体となり得る。薄いことによって、配布媒体として有用となる。ＬＥＤ照明ディスプレイや大型液晶ディスプレイではないため、高価な設備及び材料が不要であり、安価な表示用媒体を提供することができる。もちろん、電源も不要である。さらに、後述するように、情報を隠す又は暗号化する等のセキュリティー用途にも適用可能である。
【００１９】
本発明によれば、さらにまた、切り抜き処理を行うことにより少なくとも１枚の複屈折シートにこの少なくとも１枚の複屈折シートを分離しない部分的な切り抜き部を形成し、この部分的な切り抜き部を有する少なくとも１枚の複屈折シートを間に挟んで、少なくとも１枚の複屈折シートと２枚のクロスニコル配置若しくはパラニコル配置した偏光シート又は１枚の偏光シート及び１枚の鏡面シートとを互いに積層固着する表示用媒体の製造方法が提供される。
【００２０】
切り抜きによって少なくとも１枚の複屈折シートは部分的な切り抜き部が形成され、これを挟んで２枚のクロスニコル配置若しくはパラニコル配置された偏光シートが積層されるか、又は１枚の偏光シート及び１枚の鏡面シートが互いに積層固着される。このように本発明によれば、複屈折シートがこの複屈折シートを分離しない部分的な切り抜き部を有するように形成されるため、単に複屈折シートと偏光シートとの積層固着のみで構成でき、切り貼り等が不要となって手間がかからないため、量産化が可能となる。もちろん、このように製造した表示用媒体によれば、複屈折シートの存在する部分を透過する光のみが複屈折して位相差を発生させるため、干渉色が生じ、色を自由に調整でき、しかも見る角度のよって色が美しく変化する付加価値の高い広告媒体や配布媒体等となり得る。また、透明型のしかも薄い表示用媒体となり得る。薄いことによって、配布媒体として有用となる。ＬＥＤ照明ディスプレイや大型液晶ディスプレイではないため、高価な設備及び材料が不要であり、安価な表示用媒体を提供することができる。もちろん、電源も不要である。
【００２１】
少なくとも１枚の大寸法複屈折シート又は複屈折シートとして、遅相軸が直交するように互いに積層された複数枚の大寸法複屈折シート又は複屈折シートを用いることが好ましい。
【００２２】
少なくとも１枚の大寸法複屈折シート又は複屈折シートとして、互いに異なる形状を有する及び／又は互いに変位させて設けられた切り抜き部をそれぞれ有する複数枚の大寸法複屈折シート又は複屈折シートを用いることも好ましい。
【００２３】
少なくとも１枚の大寸法複屈折シート又は複屈折シートとして、互いに異なる位相差を有する複数枚の大寸法複屈折シート又は複屈折シートを用いることも好ましい。
【００２４】
少なくとも１枚の大寸法複屈折シート又は複屈折シート及び大寸法偏光シート又は偏光シートとして、互いに同一寸法及び同一形状の外形を有するシートを用いることも好ましい。
【００２５】
少なくとも１枚の大寸法複屈折シート又は複屈折シートとして、少なくとも１枚のポリプロピレンフィルムを用いることも好ましい。
【００２６】
少なくとも１枚の大寸法複屈折シート又は複屈折シートとして、少なくとも１枚のポリエチレンテレフタレートフィルムを用いることも好ましい。
【発明の効果】
【００２７】
本発明によれば、複屈折シートが部分的な切り抜き部を有しているため、単に複屈折シートと偏光シートとの積層固着のみで構成でき、切り貼り等が不要となって手間がかからないため、量産化が可能となる。しかも、干渉色が生じ、色を自由に調整でき、しかも見る角度のよって色が美しく変化する付加価値の高い広告媒体や配布媒体等となり得る。また、透明型のしかも薄い表示用媒体となり得る。薄いことによって、配布媒体として有用となる。さらに、電源が不要であると共に高価な設備及び材料が不要であり、安価な表示用媒体を提供することができる。
【図面の簡単な説明】
【００２８】
【図１】本発明の一実施形態として表示用媒体の構成を概略的に示す断面図である。
【図２】図１の実施形態における表示用媒体の構成を概略的に示す分解斜視図である。
【図３】図１の実施形態における製造工程の一例を説明するフローチャートである。
【図４】図１の実施形態における各製造工程における加工状況を概略的に説明する斜視図である。
【図５】図１の実施形態における製造工程の他の例を説明するフローチャートである。
【図６】本発明による表示用媒体の一例の構成を説明する図である。
【図７】本発明による表示用媒体の他の例の構成を説明する図である。
【図８】本発明による表示用媒体のさらに他の例の構成を説明する図である。
【図９】本発明による表示用媒体のまたさらに他の例の構成を説明する図である。
【発明を実施するための形態】
【００２９】
図１は本発明の一実施形態として表示用媒体の構成を概略的に示す断面図であり、図２は図１の実施形態における表示用媒体の構成を概略的に示す分解斜視図である。
【００３０】
これらの図において、１０は切り抜き部１０ａを有する第１の複屈折シート、１１は切り抜き部１１ａを有する第２の複屈折シート、１２及び１３はこれら第１の複屈折シート１０及び第２の複屈折シート１１を間に挟んで互いに積層されて固着された第１の偏光シート及び第２の偏光シートをそれぞれ示している。即ち、第１の偏光シート１２、第１の複屈折シート１０、第２の複屈折シート１１及び第２の偏光シート１３は、この順序で積層されて互いに固着されている。
【００３１】
第１の複屈折シート１０及び第２の複屈折シート１１は、例えば、ポリプロピレンフィルム又はポリエチレンテレフタレートフィルム等の位相差フィルムであり、望ましくは、遅相軸が互いに直交するように積層されている。本実施形態では、第１の複屈折シート１０及び第２の複屈折シート１１は、互いに等しい位相差を有する位相差フィルムで構成されているが、これらを互いに異なる位相差を有する位相差フィルムで構成しても良い。
【００３２】
本実施形態においては、切り抜き部１０ａは第１の複屈折シート１０の内部にのみ形成されており、第１の複屈折シート１０の周端縁が連続しているが、切り抜き部１０ａが周端縁に達してこの周端縁が不連続となっていても良いことは明らかである。また、切り抜き部１１ａも第２の複屈折シート１１の内部にのみ形成されており、第２の複屈折シート１１の周端縁が連続しているが、切り抜き部１１ａが周端縁に達してこの周端縁が不連続となっていても良いことは明らかである。
【００３３】
なお、第１の複屈折シート１０の切り抜き部１０ａと第２の複屈折シート１１の切り抜き部１１ａとは、互いに異なる形状を有する及び／又は互いに変位させて設けられている。即ち、これら切り抜き部は重畳した際に完全に一致しない形状及び／又は配置を備えている。後述するように、第１の複屈折シート１０及び第２の複屈折シート１１の外形並びに切り抜き部１０ａ及び切り抜き部１１ａは、カッティングマシンを用いて、長尺又は大寸法のフィルムを自動的に切り抜き加工することにより形成されている。
【００３４】
第１の偏光シート１２及び第２の偏光シート１３は、クロスニコル配置又はパラニコル配置されており、第１の複屈折シート１０及び第２の複屈折シート１１を挟んで積層され、互いに固着されている。
【００３５】
本実施形態の表示用媒体において、第１の偏光シート１２、第１の複屈折シート１０、第２の複屈折シート１１及び第２の偏光シート１３は、平面の外形形状が互いに同一寸法であり、かつ同一形状となっている。なお、本実施形態において、表示用媒体は、平面の外形形状が矩形となっているが、この外形形状が矩形以外のいかなる形状であっても良いことは明らかである。
【００３６】
次に、本実施形態における表示用媒体の製造方法について説明する。図３は本実施形態における製造工程の一例を説明するフローチャートであり、図４はその各製造工程における加工状況を概略的に説明する斜視図である。
【００３７】
まず、図４（Ａ）に示すように、カッティングマシンにより、第１の複屈折シート１０用のポリプロピレンフィルム又はポリエチレンテレフタレートフィルム等の大寸法位相差フィルム４０上に第１の複屈折シート１０用の切り抜き部１０ａを多数形成する（ステップＳ１）。カッティングマシンとしては、コンピュータ制御による、レーザカット加工機、高周波加工機、ヒートカット加工機及びルーター加工機、プレス加工機、並びに打ち抜き加工機等が利用可能である。
【００３８】
同様に、図４（Ｂ）に示すように、カッティングマシンにより、第２の複屈折シート１１用のポリプロピレンフィルム又はポリエチレンテレフタレートフィルム等の大寸法位相差フィルム４１上に第２の複屈折シート１１用の切り抜き部１１ａを多数形成する（ステップＳ２）。なお、ステップＳ２をステップＳ１より先に実行しても良いことはもちろんである。
【００３９】
次いで、図４（Ｃ）に示すように、大寸法偏光フィルム４３上に、切り抜き部を多数加工形成した第２の複屈折シート用の大寸法位相差フィルム４１を位置合わせして積層固着し、その上に切り抜き部を多数加工形成した第１の複屈折シート用の大寸法位相差フィルム４０を位置合わせ及び方向合わせして積層固着し、さらにその上に大寸法偏光フィルム４２を位置合わせしてクロスニコル配置（直交配置）又はパラニコル配置（平行配置）で積層固着して大寸法積層フィルム４４を得る（ステップＳ３）。この場合、第２の複屈折シート用の大寸法位相差フィルム４１と第１の複屈折シート用の大寸法位相差フィルム４０とは、例えば遅相軸が互いに直交するように積層する。
【００４０】
その後、図４（Ｄ）に示すように、このようにして形成した大寸法積層フィルム４４を個々の表示用媒体４５の形状に切断して分離する（ステップＳ４）。
【００４１】
以上詳細に説明したように、この製造工程によれば、第１の複屈折シート１０用の大寸法位相差フィルム４０上及び第２の複屈折シート１１用の大寸法位相差フィルム４１上にそれぞれ多数の切り抜き部１０ａ及び１１ａをカッティングマシンによって形成し、さらに、これらを２枚の大寸法偏光フィルム４２及び４３間に挟み込んで積層固着した後、カッティングマシンによって個々の形状に切断して分離することによって表示用媒体を得ている。このように、本実施形態によれば、大寸法複屈折シートに複数の切り抜き部を形成し、この状態で大寸法偏光シートと積層固着しているため、複屈折シートの切り貼り等が不要となり手間がかからないため、量産化が可能となる。もちろん、このように製造した表示用媒体によれば、複屈折シートの存在する部分を透過する光のみが複屈折して位相差を発生させるため、干渉色が生じ、色を自由に調整でき、しかも見る角度のよって色が美しく変化する付加価値の高い広告媒体や配布媒体等となり得る。また、透明型のしかも薄い表示用媒体となり得る。薄いことによって、配布媒体として有用となる。ＬＥＤ照明ディスプレイや大型液晶ディスプレイではないため、高価な設備及び材料が不要であり、安価な表示用媒体を提供することができる。もちろん、電源も不要である。
【００４２】
図５は本実施形態における製造工程の他の例を説明するフローチャートであり、この例は、大寸法の表示用媒体を１枚作製する場合である。
【００４３】
まず、カッティングマシンにより、第１の複屈折シート１０用のポリプロピレンフィルム又はポリエチレンテレフタレートフィルム等の位相差フィルム上に切り抜き部１０ａを形成する（ステップＳ１１）。カッティングマシンとしては、コンピュータ制御による、レーザカット加工機、高周波加工機、ヒートカット加工機及びルーター加工機、プレス加工機、並びに打ち抜き加工機等が利用可能である。
【００４４】
同様に、カッティングマシンにより、第２の複屈折シート１１用のポリプロピレンフィルム又はポリエチレンテレフタレートフィルム等の位相差フィルム上に切り抜き部１１ａを形成する（ステップＳ１２）。なお、ステップＳ１２をステップＳ１１より先に実行しても良いことはもちろんである。
【００４５】
次いで、偏光フィルム１３上に、切り抜き部を加工形成した第２の複屈折シート１１を位置合わせして積層固着し、その上に切り抜き部を加工形成した第１の複屈折シート１０を位置合わせ及び方向合わせして積層固着し、さらにその上に偏光フィルム１２を位置合わせしてクロスニコル配置又はパラニコル配置で積層固着して表示用媒体を得る（ステップＳ１３）。この場合、第２の複屈折シート１１と第１の複屈折シート１０とは、例えば遅相軸が互いに直交するように積層する。
【００４６】
以上詳細に説明したように、この製造工程によれば、第１の複屈折シート１０上及び第２の複屈折シート１１上にそれぞれ切り抜き部１０ａ及び１１ａをカッティングマシンによって形成し、さらに、これらを２枚の偏光フィルム１２及び１３間に挟み込んで積層固着することによって表示用媒体を得ている。このように、本実施形態によれば、複屈折シートに切り抜き部を形成し、これを偏光シートと積層固着している。このため、複屈折シートの切り貼り等が不要となり手間がかからないため、量産化が可能となる。もちろん、このように製造した表示用媒体によれば、複屈折シートの存在する部分を透過する光のみが複屈折して位相差を発生させるため、干渉色が生じ、色を自由に調整でき、しかも見る角度のよって色が美しく変化する付加価値の高い広告媒体や配布媒体等となり得る。また、透明型のしかも薄い表示用媒体となり得る。薄いことによって、配布媒体として有用となる。ＬＥＤ照明ディスプレイや大型液晶ディスプレイではないため、高価な設備及び材料が不要であり、安価な表示用媒体を提供することができる。もちろん、電源も不要である。
【００４７】
なお、本実施形態においては、第１の偏光シート１２及び第２の偏光シート１３間に２枚の複屈折シートを挟んで積層しているが、１枚の複屈折シートを挟んで積層しても良いし、３枚以上の複屈折シートを挟んで積層しても良い。
【００４８】
また、本実施形態の変更態様として、１枚の偏光シートと１枚の鏡面シートとの間に１枚以上の複屈折シートを挟んで積層しても良い。このような鏡面シートは、例えば、透明フィルムの片面にアルミニウム層を蒸着して形成することができる。
【００４９】
図６は本発明による表示用媒体の一例の構成を説明する図である。
【００５０】
図６（Ａ）に示すように、第１の複屈折シート６０に北海道の形状及びその他の切り抜き部６０ａを形成し、図６（Ｂ）に示すように、第２の複屈折シート６１に文字及びその他の切り抜き部６１ａを形成し、図６（Ｃ）に示すように、これら第１の複屈折シート６０及び第２の複屈折シート６１を重ね合わせてその両側を２枚のクロスニコル配置又はパラニコル配置した偏光シートで挟み込み、積層固着することによって、切り抜き部の色が変化した表示用媒体６４が得られる。
【００５１】
この例に示すように、本発明による表示用媒体は、大型化が容易であり、見る角度によって色が大きく変化するため、電源不要であるにもかかわらず注目度抜群の広告媒体を提供することができる。
【００５２】
図７は本発明による表示用媒体の他の例の構成を説明する図である。
【００５３】
切り抜き部をそれぞれ設けた複数の複屈折シートを互いに積層したのみでは、図７（Ａ）に示すように、透明状態であるが、これを２枚の偏光シートを挟むと、図７（Ｂ）に示すように、切り抜き部に対応して種々の色を持つ文字や図が見えるようになり、インパクト抜群の名刺を安価に提供することができる。
【００５４】
図８は本発明による表示用媒体のさらに他の例の構成を説明する図である。
【００５５】
切り抜き部をそれぞれ設けた複数の複屈折シートを互いに積層し、これを２枚の偏光シートで挟み、両偏光シートの遅相軸（進相軸）のなす角度を変化させると、図８（Ａ）及び図８（Ｂ）に示すように、切り抜き部の種々の部分について電気なしに簡単に変色させることが可能となる。
【００５６】
図９は本発明による表示用媒体のまたさらに他の例の構成を説明する図である。
【００５７】
切り抜き部をそれぞれ設けた複数の複屈折シートを互いに積層する。偏光シートが存在しない場合は、図９（Ａ）に示すように、透明となり、２次元コードは全く表示されない。これを２枚の偏光シートで挟んで観察する場合、一部の複屈折シートが欠落していると、図９（Ｂ）に示すようになり、２次元コードを正しく読み取ることができない。これに対して、２枚の偏光シートで挟み、必要な枚数の複屈折シートを重ね合わせることにより、図９（Ｃ）に示すように、正しい２次元コードが表示される。従って、本発明は、情報を隠したり、暗号化する等のセキュリティー用途に用いて非常に有効となる。
【００５８】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００５９】
電源不要の広告媒体を実現可能である。また、安価であり、既存の印刷技術との相性も良いため、広告媒体及び配布媒体に限らず、例えば、教育分野、出版業界、及びエンターテインメント分野等、種々の用途に適用可能である。また、情報を隠したり暗号化する等のセキュリティー用途に適用することができる。
【符号の説明】
【００６０】
１０、６０  第１の複屈折シート
１０ａ、１１ａ、６０ａ、６１ａ  切り抜き部
１１、６１  第２の複屈折シート
１２  第１の偏光シート
１３  第２の偏光シート
４０、４１  大寸法位相差フィルム
４２、４３  大寸法偏光フィルム
４４、６４  大寸法積層フィルム
【図１】
2013037344.tif 000003
【図２】
2013037344.tif 000004
【図３】
2013037344.tif 000005
【図４】
2013037344.tif 000006
【図５】
2013037344.tif 000007
【図６】
2013037344.tif 000008
【図７】
2013037344.tif 000009
【図８】
2013037344.tif 000010
【図９】
2013037344.tif 000011